(57)【要約】【課題】スクエアホールド処理が施される場合と、スクエアホールド処理が施されない場合のそれぞれについて、適切に画像位置を調整する。【解決手段】スクエアホールド処理が施されない中折りが選択された場合には（ステップＳ２；ＮＯ）、用紙を折った際に最外となる用紙から内側の用紙になるに従って画像位置を用紙の折り部の方向にシフトさせる画像シフト処理が行われる（ステップＳ３）。一方、スクエアホールド処理が施される中折りが選択された場合には（ステップＳ２；ＹＥＳ）、用紙を折った際に最外となる用紙と最内となる用紙の略中央に位置する用紙を基準とし、基準となった用紙から外側の用紙になるに従って画像位置を用紙の折り部とは反対の方向にシフトさせ、基準となった用紙から内側の用紙になるに従って画像位置を用紙の折り部の方向にシフトさせる画像シフト処理が行われる（ステップＳ４）。【選択図】図９
2013054257.tif 000002
【特許請求の範囲】
【請求項１】
ユーザーがスクエアホールド処理が施される中折りとスクエアホールド処理が施されない中折りのいずれかを選択するための中折り選択手段と、
前記中折り選択手段により選択された中折りに応じて、画像位置を調整する画像位置調整手段と、
前記画像位置調整手段により調整された画像位置に基づいて用紙上に画像を形成する画像形成手段と、
前記画像形成手段により画像が形成された用紙に対して、前記中折り選択手段により選択された中折りに基づいて折り処理を行う折り処理手段と、
を備える画像形成システムであって、
前記画像位置調整手段は、スクエアホールド処理が施される中折りとスクエアホールド処理が施されない中折りとで、同一のページの用紙に対応する画像位置がそれぞれ異なるように、画像位置を調整する画像形成システム。
【請求項２】
前記画像位置調整手段は、前記中折り選択手段によりスクエアホールド処理が施されない中折りが選択された場合、用紙を折った際に最外となる用紙から内側の用紙になるに従って画像位置を用紙の折り部の方向にシフトさせる、
請求項１に記載の画像形成システム。
【請求項３】
前記画像位置調整手段は、前記中折り選択手段によりスクエアホールド処理が施される中折りが選択された場合、用紙を折った際に最外となる用紙と最内となる用紙の略中央に位置する用紙を基準とし、当該基準となった用紙から外側の用紙になるに従って画像位置を用紙の折り部とは反対の方向にシフトさせるとともに、前記基準となった用紙から内側の用紙になるに従って画像位置を用紙の折り部の方向にシフトさせる、
請求項１又は２に記載の画像形成システム。
【請求項４】
前記画像位置調整手段は、用紙毎に画像位置を調整する、
請求項１から３のいずれか一項に記載の画像形成システム。
【請求項５】
前記画像位置調整手段は、所定枚数の用紙毎に画像位置を調整する、
請求項１から３のいずれか一項に記載の画像形成システム。
【発明の詳細な説明】
【技術分野】
【０００１】
本発明は、画像形成システムに関する。
【背景技術】
【０００２】
従来、画像が形成された用紙に中折り処理を行い、冊子を作成する画像形成システムが用いられている。
図１６に、中折りされた用紙束の例を示す。図１６に示すように、用紙が中折りされた状態で重ねられていくと、用紙の厚さのため、用紙束の内側の用紙ほど、折り部と反対方向にずれていく。この端部のずれをなくすために、用紙束は、用紙裁断位置で裁断される。各用紙Ｐ６１〜Ｐ６３に対して同じ位置に画像Ｇ６１〜Ｇ６３が形成された場合、最も外側の用紙Ｐ６１に形成された画像Ｇ６１については全体を見ることができるが、内側の用紙Ｐ６２，Ｐ６３に形成された画像Ｇ６２，Ｇ６３については、折り部と反対方向にずれるため、折り部と反対方向の用紙端部を裁断した場合、裁断位置からはみ出してしまい、画像が欠けるおそれがある。
【０００３】
この問題を解決するために、画像を用紙毎にシフトさせ、紙の厚さによる画像のずれを補正する方法がある。
例えば、複数ページからなる原稿画像データを、画像記録後の記録紙を中折りしたときのページ順に読み出して記録紙に記録する画像形成装置において、記録紙の厚みに応じて、画像を記録する度に、ページ毎の画像のシフト量を順次変更していくものが提案されている（特許文献１参照）。
また、１面に２画像を並べて画像形成した記録紙を中折りして冊子を作成する際に、用紙枚数カウンタに基づいて、タグの位置のシフト量を順次変えていく画像形成装置が提案されている（特許文献２参照）。
【０００４】
また、中折りした用紙の用紙束に対して、折り部を角型形状（コの字型）に整形するスクエアホールド処理が施される場合がある。
図１７に、スクエアホールド処理が施された用紙束の例を示す。各用紙Ｐ７１〜Ｐ７３に対して同じ位置に画像Ｇ７１〜Ｇ７３が形成された場合、外側の用紙ほど折り部に整形される平坦な部分（背部）が大きいため、外側の用紙ほど画像位置が折り部側にずれる。一方、内側の用紙ほど用紙束の背部が小さく、また、用紙の厚さで用紙が折り部と反対方向にずれるため、内側の用紙ほど画像位置が折り部と反対方向にずれる。スクエアホールド処理が施される場合にも、折り部と反対方向の用紙端部を裁断すると、用紙束の内側の用紙に形成された画像がはみ出し、画像が欠けるおそれがある。
【先行技術文献】
【特許文献】
【０００５】
【特許文献１】特開平７−２８７４２８号公報
【特許文献２】特開２００３−１４０５０７号公報
【発明の概要】
【発明が解決しようとする課題】
【０００６】
しかし、通常の中折り処理に加え、スクエアホールド処理を実行可能な場合には、通常の中折り処理と、スクエアホールド処理が施される中折り処理と、で画像のずれ量が異なるため、一律に画像をシフトさせたのでは問題があった。
【０００７】
本発明は上記の従来技術における問題に鑑みてなされたものであって、スクエアホールド処理が施される場合と、スクエアホールド処理が施されない場合のそれぞれについて、適切に画像位置を調整することを課題とする。
【課題を解決するための手段】
【０００８】
上記課題を解決するために、請求項１に記載の発明は、ユーザーがスクエアホールド処理が施される中折りとスクエアホールド処理が施されない中折りのいずれかを選択するための中折り選択手段と、前記中折り選択手段により選択された中折りに応じて、画像位置を調整する画像位置調整手段と、前記画像位置調整手段により調整された画像位置に基づいて用紙上に画像を形成する画像形成手段と、前記画像形成手段により画像が形成された用紙に対して、前記中折り選択手段により選択された中折りに基づいて折り処理を行う折り処理手段と、を備える画像形成システムであって、前記画像位置調整手段は、スクエアホールド処理が施される中折りとスクエアホールド処理が施されない中折りとで、同一のページの用紙に対応する画像位置がそれぞれ異なるように、画像位置を調整する。
【０００９】
請求項２に記載の発明は、請求項１に記載の画像形成システムにおいて、前記画像位置調整手段は、前記中折り選択手段によりスクエアホールド処理が施されない中折りが選択された場合、用紙を折った際に最外となる用紙から内側の用紙になるに従って画像位置を用紙の折り部の方向にシフトさせる。
【００１０】
請求項３に記載の発明は、請求項１又は２に記載の画像形成システムにおいて、前記画像位置調整手段は、前記中折り選択手段によりスクエアホールド処理が施される中折りが選択された場合、用紙を折った際に最外となる用紙と最内となる用紙の略中央に位置する用紙を基準とし、当該基準となった用紙から外側の用紙になるに従って画像位置を用紙の折り部とは反対の方向にシフトさせるとともに、前記基準となった用紙から内側の用紙になるに従って画像位置を用紙の折り部の方向にシフトさせる。
【００１１】
請求項４に記載の発明は、請求項１から３のいずれか一項に記載の画像形成システムにおいて、前記画像位置調整手段は、用紙毎に画像位置を調整する。
【００１２】
請求項５に記載の発明は、請求項１から３のいずれか一項に記載の画像形成システムにおいて、前記画像位置調整手段は、所定枚数の用紙毎に画像位置を調整する。
【発明の効果】
【００１３】
本発明によれば、スクエアホールド処理が施される場合と、スクエアホールド処理が施されない場合のそれぞれについて、適切に画像位置を調整することができる。
【図面の簡単な説明】
【００１４】
【図１】本発明に係る画像形成システムを構成する各装置の機能的構成を示すブロック図である。
【図２】スクエアホールド処理部を説明するための図である。
【図３】中折り設定画面の例である。
【図４】用紙種類設定画面の例である。
【図５】スクエアホールド処理が施されない中折り用の用紙種類別シフト量テーブルの例である。
【図６】用紙坪量設定画面の例である。
【図７】スクエアホールド処理が施されない中折り用の用紙坪量別シフト量テーブルの例である。
【図８】マニュアル設定画面の例である。
【図９】画像形成装置において実行される処理を示すフローチャートである。
【図１０】スクエアホールド処理が施されない中折り時の画像シフト処理を示すフローチャートである。
【図１１】（ａ）は、スクエアホールド処理が施されない中折り時の用紙束の最外となる用紙の画像位置を示す図である。（ｂ）は、スクエアホールド処理が施されない中折り時の用紙束の略中央に位置する用紙の画像位置を示す図である。（ｃ）は、スクエアホールド処理が施されない中折り時の用紙束の最内となる用紙の画像位置を示す図である。
【図１２】（ａ）は、画像位置を調整せずに画像を形成し、スクエアホールド処理が施されない中折りを行った用紙束の例である。（ｂ）は、画像位置を調整して画像を形成し、スクエアホールド処理が施されない中折りを行った用紙束の例である。
【図１３】スクエアホールド処理が施される中折り時の画像シフト処理を示すフローチャートである。
【図１４】（ａ）は、スクエアホールド処理が施される中折り時の用紙束の最外となる用紙の画像位置を示す図である。（ｂ）は、スクエアホールド処理が施される中折り時の用紙束の略中央に位置する用紙の画像位置を示す図である。（ｃ）は、スクエアホールド処理が施される中折り時の用紙束の最内となる用紙の画像位置を示す図である。
【図１５】（ａ）は、画像位置を調整せずに画像を形成し、スクエアホールド処理が施される中折りを行った用紙束の例である。（ｂ）は、画像位置を調整して画像を形成し、スクエアホールド処理が施される中折りを行った用紙束の例である。
【図１６】従来の中折り処理が施された用紙束の例である。
【図１７】従来のスクエアホールド処理が施された用紙束の例である。
【発明を実施するための形態】
【００１５】
以下、図面を参照して、本発明に係る画像形成システムの実施の形態について説明する。
図１は、画像形成システム１を構成する画像形成装置１００、後処理装置２００及び後処理装置３００の機能的構成を示すブロック図である。
【００１６】
画像形成装置１００は、制御部１１０、給紙部１１５、搬送部１２０、画像読取部１２５、画像形成部１３０、ネットワークＩＦ（InterFace）１３５、シリアル通信部１４０、画像処理部１４５、記憶部１５０、表示部１６０、操作部１７０を備える。
【００１７】
制御部１１０は、操作部１７０又はネットワークＩＦ１３５から入力される指示に応じて、画像形成装置１００の各部を統括的に制御する。制御部１１０は、ＣＰＵ（Central Processing Unit）、ＲＯＭ（Read Only Memory）、ＲＡＭ（Random Access Memory）等を備えており、ＣＰＵは、ＲＯＭに格納されたプログラムを読み出し、ＲＡＭ内のワークエリアに展開し、プログラムとの協働によって各種処理を実行する。
【００１８】
給紙部１１５は、紙種、用紙サイズ毎に用紙を収納する複数の給紙トレイを備え、給紙トレイに収納されている用紙を画像形成部１３０に供給する。
搬送部１２０は、複数の搬送ローラーを備え、画像形成装置１００内の用紙を搬送する。
【００１９】
画像読取部１２５は、光源から原稿へ照明走査した光の反射光を結像して光電変換することにより原稿の画像を読み取り、読み取った画像をＡ／Ｄ変換して画像データを生成する。
【００２０】
画像形成部１３０は、画像処理部１４５から入力される画像データに基づいて、用紙上に画像を形成する。例えば、中折りが選択された場合、画像形成部１３０は、画像処理部１４５により調整された画像位置に基づいて、用紙上に画像を形成する。画像形成部１３０は、電子写真方式の画像形成を行うものであり、感光体ドラム、感光体ドラムの帯電を行う帯電部、画像データに基づいて感光体ドラム表面を露光走査する露光部、感光体ドラムにトナーを付着させる現像部、感光体ドラム上に形成されたトナー像を用紙に転写する転写部、用紙上に形成されたトナー像を定着させる定着部等から構成される。
【００２１】
ネットワークＩＦ１３５は、ＬＡＮ（Local Area Network）等の通信ネットワークに接続して、ＰＣ（Personal Computer）等の外部装置との間でデータ通信を行うためのインターフェースである。例えば、ネットワークＩＦ１３５は、外部装置から画像データ等を受信する。
【００２２】
シリアル通信部１４０は、後処理装置２００との間でデータの送受信を行う。例えば、シリアル通信部１４０は、後処理装置２００又は後処理装置３００において実行すべき後処理を示す情報を後処理装置２００に送信する。
【００２３】
画像処理部１４５は、画像読取部１２５により読み取って得られた画像データ、ネットワークＩＦ１３５により受信された画像データに対して、画像処理を施して画像形成部１３０に出力する。画像処理部１４５は、制御部１１０のＣＰＵとＲＯＭに記憶されているプログラムとの協働によるソフトウェア処理によって実現される。
【００２４】
画像処理部１４５は、中折りが選択された場合、画像形成時に用紙の少なくとも１面に２画像が並んで形成されるよう、また、用紙束においてページ順となるように、画像を割り付ける。
【００２５】
画像処理部１４５は、スクエアホールド処理が施される中折り（以下、スクエアホールドあり中折りという。）とスクエアホールド処理が施されない中折り（以下、スクエアホールドなし中折りという。）のうち、選択された中折りに応じて、画像位置を調整する画像位置調整手段として機能する。画像処理部１４５は、スクエアホールドあり中折りとスクエアホールドなし中折りとで、同一のページの用紙に対応する画像位置がそれぞれ異なるように、画像位置を調整する。
【００２６】
画像処理部１４５は、スクエアホールドなし中折りが選択された場合、用紙を折った際に最外となる用紙から内側の用紙になるに従って画像位置を用紙の折り部の方向にシフトさせる。
【００２７】
画像処理部１４５は、スクエアホールドあり中折りが選択された場合、用紙を折った際に最外となる用紙（以下、最外用紙という。）と最内となる用紙（以下、最内用紙という。）の略中央に位置する用紙（以下、略中央用紙という。）を基準とし、基準となった用紙から外側の用紙になるに従って画像位置を用紙の折り部とは反対の方向にシフトさせるとともに、基準となった用紙から内側の用紙になるに従って画像位置を用紙の折り部の方向にシフトさせる。
用紙の枚数が奇数の場合には、中央の用紙を略中央用紙とすればよい。用紙の枚数が偶数の場合には、中央の２枚の用紙のいずれかを略中央用紙としてもよいし、両方の用紙を略中央用紙としてもよい。
【００２８】
画像処理部１４５は、用紙毎に画像位置を調整する。
【００２９】
記憶部１５０は、ハードディスクやフラッシュメモリー等により構成され、画像形成装置１００が実行する各種処理で使用するデータや、画像形成装置１００が実行する各種処理により生成されたデータ等を記憶する。
例えば、記憶部１５０には、スクエアホールドなし中折り用の用紙種類別シフト量テーブル１５１（図５参照）、スクエアホールドなし中折り用の用紙坪量別シフト量テーブル１５２（図７参照）、スクエアホールドあり中折り用の用紙種類別シフト量テーブル、スクエアホールドあり中折り用の用紙坪量別シフト量テーブル等が記憶されている。
【００３０】
表示部１６０は、ＬＣＤ（Liquid Crystal Display）を備え、制御部１１０からの指示に従って、各種操作画面や各種処理結果を表示する。
【００３１】
操作部１７０は、数字キーやスタートキー等の各種キー、表示部１６０と一体的に形成されたタッチパネルを備えて構成され、ユーザーによる操作入力を受け付ける。操作部１７０は、キーやタッチパネルが操作されると、対応する操作信号を制御部１１０に出力する。操作部１７０は、ユーザーがスクエアホールドあり中折りとスクエアホールドなし中折りのいずれかを選択するための中折り選択手段として機能する。
【００３２】
スクエアホールドなし中折り（通常の中折り）は、簡易的に用紙に折り処理を行うことができるため、生産性を向上させることができる。一方、スクエアホールドあり中折りは、折り目をきれいに仕上げるために角型形状に整形する工程を要する。生産性を優先するか、見た目の仕上がりを優先するかに応じて、中折りの選択が可能である。
【００３３】
後処理装置２００は、制御部２１０、シリアル通信部２２０、搬送部２３０、中折り処理部２４０、スクエアホールド処理部２５０、シリアル通信部２６０、綴じ処理部２７０、排出部２８０を備える。
【００３４】
制御部２１０は、後処理装置２００の各部を統括的に制御する。制御部２１０は、ＣＰＵ、ＲＯＭ、ＲＡＭ等を備えており、ＣＰＵは、ＲＯＭに格納されたプログラムを読み出し、ＲＡＭ内のワークエリアに展開し、プログラムとの協働によって各種処理を実行する。
【００３５】
シリアル通信部２２０は、画像形成装置１００との間でデータの送受信を行う。例えば、シリアル通信部２２０は、後処理装置２００又は後処理装置３００において実行すべき後処理を示す情報を画像形成装置１００から受信する。
搬送部２３０は、複数の搬送ローラーを備え、後処理装置２００内の用紙を搬送する。
【００３６】
中折り処理部２４０は、画像形成部１３０により画像が形成された用紙に対して、中折り処理を行う。中折り処理とは、用紙の搬送方向中央部を折り曲げる処理である。
【００３７】
スクエアホールド処理部２５０は、中折り処理された用紙に対して、用紙の折り部を角型形状に整形するスクエアホールド処理を行う。
【００３８】
図２（ａ）に示すように、中折りされ重ねられた用紙束Ｐは、クランプ板２５１により、折り部側が少しはみ出した状態で挟み込まれる。その後、図２（ｂ）に示すように、このはみ出した部分をローラー２５２で平らになるように潰していく。なお、図２（ｂ）は、図２（ａ）に示すクランプ板２５１及び用紙束Ｐを側面から見た図である。ローラー２５２は、クランプ板２５１に向けて力が加えられた状態で回転可能となっており、用紙束Ｐの折り部のはみ出した部分に乗り上げるようにして進んでいく。クランプ板２５１により、用紙束Ｐの厚さ方向の膨らみが押さえられ、ローラー２５２により、折り部が潰される方向に押さえられるので、図２（ｃ）に示すように、用紙束Ｐの折り部が角型形状に整形される。
【００３９】
中折り処理部２４０及びスクエアホールド処理部２５０は、画像形成部１３０により画像が形成された用紙に対して、選択された中折りに基づいて折り処理を行う折り処理手段として機能する。
【００４０】
シリアル通信部２６０は、後処理装置３００との間でデータの送受信を行う。例えば、シリアル通信部２６０は、後処理装置３００において実行すべき後処理を示す情報を後処理装置３００に送信する。
【００４１】
綴じ処理部２７０は、ステープラーを備え、用紙の束に対して、中綴じ又は端綴じを行う。
排出部２８０は、後処理装置２００から用紙を排出する。
【００４２】
後処理装置３００は、制御部３１０、シリアル通信部３２０、搬送部３３０、裁断処理部３４０、排出部３５０を備える。
【００４３】
制御部３１０は、後処理装置３００の各部を統括的に制御する。制御部３１０は、ＣＰＵ、ＲＯＭ、ＲＡＭ等を備えており、ＣＰＵは、ＲＯＭに格納されたプログラムを読み出し、ＲＡＭ内のワークエリアに展開し、プログラムとの協働によって各種処理を実行する。
【００４４】
シリアル通信部３２０は、後処理装置２００との間でデータの送受信を行う。例えば、シリアル通信部３２０は、後処理装置３００において実行すべき後処理を示す情報を後処理装置２００から受信する。
搬送部３３０は、複数の搬送ローラーを備え、後処理装置３００内の用紙を搬送する。
【００４５】
裁断処理部３４０は、用紙束の端部を裁断する。
排出部３５０は、後処理装置３００から用紙を排出する。
【００４６】
なお、後処理装置２００又は後処理装置３００は、パンチ処理、三つ折りやＺ折り等を行う他の後処理部を備えていてもよい。
【００４７】
次に、中折りの設定方法について説明する。
図３に、表示部１６０に表示される中折り設定画面１６１の例を示す。中折り設定画面１６１には、「ＯＦＦ」ボタンＢ１、「スクエアホールドなし中折り」ボタンＢ２、「スクエアホールドあり中折り」ボタンＢ３が含まれる。
【００４８】
ユーザーは、操作部１７０を操作することにより、「ＯＦＦ」ボタンＢ１、「スクエアホールドなし中折り」ボタンＢ２、「スクエアホールドあり中折り」ボタンＢ３の中から、いずれか一つを選択する。「ＯＦＦ」ボタンＢ１が選択された場合には、中折り処理は行われない。「スクエアホールドなし中折り」ボタンＢ２が選択された場合には、用紙に対して、通常の中折り処理が行われる。「スクエアホールドあり中折り」ボタンＢ３が選択された場合には、中折り処理に加え、スクエアホールド処理が施される。
【００４９】
「スクエアホールドなし中折り」ボタンＢ２又は「スクエアホールドあり中折り」ボタンＢ３が選択された場合には、ユーザーは、１枚当たりの画像シフト量を設定するために、操作部１７０を操作することにより、中折り設定画面１６１に含まれる「用紙種類設定」ボタンＢ４、「用紙坪量設定」ボタンＢ５、「マニュアル設定」ボタンＢ６の中から、いずれか一つを選択する。
【００５０】
中折り設定画面１６１において、「用紙種類設定」ボタンＢ４が選択された場合には、図４に示す用紙種類設定画面１６２が表示部１６０に表示される。用紙種類設定画面１６２には、用紙の種類として、「普通紙」ボタンＢ１１、「上質紙」ボタンＢ１２、「塗工紙」ボタンＢ１３、「ラフ紙」ボタンＢ１４、「書籍用紙」ボタンＢ１５、「追い刷り紙」ボタンＢ１６、「エンボス紙」ボタンＢ１７が含まれる。ユーザーは、これらのボタンＢ１１〜Ｂ１７の中から、いずれか一つを選択する。
【００５１】
図５に、記憶部１５０に記憶されているスクエアホールドなし中折り用の用紙種類別シフト量テーブル１５１の例を示す。スクエアホールドなし中折り用の用紙種類別シフト量テーブル１５１は、スクエアホールドなし中折りを行う際の用紙種類と、１枚当たりの画像シフト量とを対応付けたテーブルである。
【００５２】
スクエアホールドあり中折り用の用紙種類別シフト量テーブルは、スクエアホールドあり中折りを行う際の用紙種類と、１枚当たりの画像シフト量とを対応付けたテーブルであり、スクエアホールドなし中折り用の用紙種類別シフト量テーブル１５１とテーブル内の数値（１枚当たりの画像シフト量）が異なる。
【００５３】
中折り設定画面１６１において、「用紙坪量設定」ボタンＢ５が選択された場合には、図６に示す用紙坪量設定画面１６３が表示部１６０に表示される。用紙坪量設定画面１６３には、用紙の坪量として、「４０−４９ｇ／ｍ2」ボタンＢ２１、「５０−６１ｇ／ｍ2」ボタンＢ２２、「６２−７４ｇ／ｍ2」ボタンＢ２３、「７５−９１ｇ／ｍ2」ボタンＢ２４、「９２−１３５ｇ／ｍ2」ボタンＢ２５、「１３６−１６２ｇ／ｍ2」ボタンＢ２６、「１６３−２１６ｇ／ｍ2」ボタンＢ２７、「２１７−２４４ｇ／ｍ2」ボタンＢ２８、「２４５−３００ｇ／ｍ2」ボタンＢ２９が含まれる。ユーザーは、これらのボタンＢ２１〜Ｂ２９の中から、いずれか一つを選択する。
【００５４】
図７に、記憶部１５０に記憶されているスクエアホールドなし中折り用の用紙坪量別シフト量テーブル１５２の例を示す。スクエアホールドなし中折り用の用紙坪量別シフト量テーブル１５２は、スクエアホールドなし中折りを行う際の用紙坪量と、１枚当たりの画像シフト量とを対応付けたテーブルである。
【００５５】
スクエアホールドあり中折り用の用紙坪量別シフト量テーブルは、スクエアホールドあり中折りを行う際の用紙坪量と、１枚当たりの画像シフト量とを対応付けたテーブルであり、スクエアホールドなし中折り用の用紙坪量別シフト量テーブル１５２とテーブル内の数値（１枚当たりの画像シフト量）が異なる。
【００５６】
中折り設定画面１６１において、「マニュアル設定」ボタンＢ６が選択された場合には、図８に示すマニュアル設定画面１６４が表示部１６０に表示される。マニュアル設定画面１６４には、１枚当たりの画像シフト量表示領域Ｃ１、アップキーＣ２、ダウンキーＣ３が含まれる。１枚当たりの画像シフト量表示領域Ｃ１には、現在設定されている１枚当たりの画像シフト量が表示される。アップキーＣ２が１回押下される度に、１枚当たりの画像シフト量表示領域Ｃ１に表示される値が０．０１ｍｍずつ大きくなる。ダウンキーＣ３が１回押下される度に、１枚当たりの画像シフト量表示領域Ｃ１に表示される値が０．０１ｍｍずつ小さくなる。
【００５７】
次に、本実施の形態における動作を説明する。
図９は、画像形成システム１の画像形成装置１００において実行される処理を示すフローチャートである。この処理は、各用紙に対して行われる処理である。
【００５８】
まず、制御部１１０により、中折りがＯＮであるか否かが判断される（ステップＳ１）。具体的には、中折り設定画面１６１において、「スクエアホールドなし中折り」ボタンＢ２又は「スクエアホールドあり中折り」ボタンＢ３が選択されたか否かが判断される。
【００５９】
中折りがＯＮである場合には（ステップＳ１；ＹＥＳ）、制御部１１０により、スクエアホールド処理が施されるか否かが判断される（ステップＳ２）。具体的には、中折り設定画面１６１において、「スクエアホールドあり中折り」ボタンＢ３が選択されたか否かが判断される。
【００６０】
ステップＳ２において、スクエアホールド処理が施されない場合（ステップＳ２；ＮＯ）、すなわち、中折り設定画面１６１において、「スクエアホールドなし中折り」ボタンＢ２が選択された場合には、画像処理部１４５により、スクエアホールドなし中折り時の画像シフト処理が行われる（ステップＳ３）。
【００６１】
スクエアホールドなし中折り時の画像シフト処理では、図１０に示すように、画像処理部１４５により、用紙を折った際の用紙束の最外用紙が基準とされ（ステップＳ１１）、最外用紙から対象用紙までの用紙枚数が算出される（ステップＳ１２）。
【００６２】
次に、画像処理部１４５により、スクエアホールドなし中折り用の１枚当たりの画像シフト量が取得される（ステップＳ１３）。具体的には、中折り設定画面１６１において、「スクエアホールドなし中折り」ボタンＢ２が選択され、さらに、「用紙種類設定」ボタンＢ４が選択された場合には、画像処理部１４５により、スクエアホールドなし中折り用の用紙種類別シフト量テーブル１５１が参照され、用紙種類設定画面１６２において選択された用紙の種類に応じた１枚当たりの画像シフト量が取得される。中折り設定画面１６１において、「スクエアホールドなし中折り」ボタンＢ２が選択され、さらに、「用紙坪量設定」ボタンＢ５が選択された場合には、画像処理部１４５により、スクエアホールドなし中折り用の用紙坪量別シフト量テーブル１５２が参照され、用紙坪量設定画面１６３において選択された用紙の坪量に応じた１枚当たりの画像シフト量が取得される。中折り設定画面１６１において、「スクエアホールドなし中折り」ボタンＢ２が選択され、さらに、「マニュアル設定」ボタンＢ６が選択された場合には、画像処理部１４５により、マニュアル設定画面１６４において設定された１枚当たりの画像シフト量が取得される。
【００６３】
次に、画像処理部１４５により、１枚当たりの画像シフト量に、最外用紙から対象用紙までの用紙枚数を掛けた値が画像シフト量として設定され（ステップＳ１４）、折り部方向が画像シフト方向として設定される（ステップＳ１５）。
【００６４】
次に、画像処理部１４５により、ステップＳ１５で設定された画像シフト方向に、ステップＳ１４で設定された画像シフト量だけ画像がシフトされる（ステップＳ１６）。用紙の両面に画像が形成される場合には、両面について画像が同じだけシフトされる。
以上で、スクエアホールドなし中折り時の画像シフト処理が終了する。
【００６５】
図１１（ａ）に、スクエアホールドなし中折り時の用紙束の最外用紙の画像位置を示す。用紙Ｐ１に対して、折り部（中折り線）を挟んで対称な位置に、画像Ｇ１，Ｇ２が形成される。この最外用紙の画像位置が基準となり、最外用紙については、画像のシフトは行われない。
【００６６】
図１１（ｂ）に、スクエアホールドなし中折り時の用紙束の略中央用紙の画像位置を示す。用紙Ｐ２に対して、折り部を挟んで対称な位置に、画像Ｇ３，Ｇ４が形成される。最外用紙からの用紙枚数に応じて画像Ｇ３，Ｇ４が折り部の方向にシフトされる。
【００６７】
図１１（ｃ）に、スクエアホールドなし中折り時の用紙束の最内用紙の画像位置を示す。用紙Ｐ３に対して、折り部を挟んで対称な位置に、画像Ｇ５，Ｇ６が形成される。最外用紙からの用紙枚数に応じて画像Ｇ５，Ｇ６が折り部の方向にシフトされる。
このように、用紙束の最外用紙から内側の用紙になるに従って、画像位置が用紙の折り部の方向にシフトされる。
【００６８】
図１２（ａ）は、画像位置を調整せずに画像を形成し、スクエアホールドなし中折りを行った用紙束の例である（比較例）。用紙Ｐ１１〜Ｐ１３に対して画像Ｇ１１〜Ｇ１３が形成されている。用紙束の内側の用紙ほど画像位置が折り部と反対方向にずれていく。この状態で折り部と反対方向の用紙端部を裁断すると、画像が欠けるおそれがある。
【００６９】
図１２（ｂ）は、画像位置を調整して画像を形成し、スクエアホールドなし中折りを行った用紙束の例である。用紙Ｐ２１〜Ｐ２３に対して画像Ｇ２１〜Ｇ２３が形成されている。用紙Ｐ２１（最外用紙）を基準として、用紙Ｐ２２，Ｐ２３に形成される画像Ｇ２２，Ｇ２３の位置が折り部の方向にシフトされる。これにより、用紙を裁断した後の用紙端部（裁断部分）からの画像の位置が揃う。
【００７０】
ステップＳ２において、スクエアホールド処理が施される場合（ステップＳ２；ＹＥＳ）、すなわち、中折り設定画面１６１において、「スクエアホールドあり中折り」ボタンＢ３が選択された場合には、画像処理部１４５により、スクエアホールドあり中折り時の画像シフト処理が行われる（ステップＳ４）。
【００７１】
スクエアホールドあり中折り時の画像シフト処理では、図１３に示すように、画像処理部１４５により、対象用紙の位置が用紙を折った際の用紙束の略中央であるか、用紙束の外側であるか、用紙束の内側であるかが判断される（ステップＳ２１）。
【００７２】
対象用紙の位置が用紙束の略中央である場合には（ステップＳ２１；略中央）、画像処理部１４５により、画像はシフトされない（ステップＳ２２）。
【００７３】
ステップＳ２１において、対象用紙の位置が用紙束の外側である場合には（ステップＳ２１；外側）、画像処理部１４５により、用紙束の略中央用紙が基準とされ（ステップＳ２３）、略中央用紙から外側に向かって対象用紙までの用紙枚数が算出される（ステップＳ２４）。
【００７４】
次に、画像処理部１４５により、スクエアホールドあり中折り用の１枚当たりの画像シフト量が取得される（ステップＳ２５）。具体的には、中折り設定画面１６１において、「スクエアホールドあり中折り」ボタンＢ３が選択され、さらに、「用紙種類設定」ボタンＢ４が選択された場合には、画像処理部１４５により、スクエアホールドあり中折り用の用紙種類別シフト量テーブルが参照され、用紙種類設定画面１６２において選択された用紙の種類に応じた１枚当たりの画像シフト量が取得される。中折り設定画面１６１において、「スクエアホールドあり中折り」ボタンＢ３が選択され、さらに、「用紙坪量設定」ボタンＢ５が選択された場合には、画像処理部１４５により、スクエアホールドあり中折り用の用紙坪量別シフト量テーブルが参照され、用紙坪量設定画面１６３において選択された用紙の坪量に応じた１枚当たりの画像シフト量が取得される。中折り設定画面１６１において、「スクエアホールドあり中折り」ボタンＢ３が選択され、さらに、「マニュアル設定」ボタンＢ６が選択された場合には、画像処理部１４５により、マニュアル設定画面１６４において設定された１枚当たりの画像シフト量が取得される。
【００７５】
次に、画像処理部１４５により、１枚当たりの画像シフト量に、略中央用紙から対象用紙までの用紙枚数を掛けた値が画像シフト量として設定され（ステップＳ２６）、折り部方向と反対方向が画像シフト方向として設定される（ステップＳ２７）。
【００７６】
次に、画像処理部１４５により、ステップＳ２７で設定された画像シフト方向に、ステップＳ２６で設定された画像シフト量だけ画像がシフトされる（ステップＳ２８）。
【００７７】
ステップＳ２１において、対象用紙の位置が用紙束の内側である場合には（ステップＳ２１；内側）、画像処理部１４５により、用紙束の略中央用紙が基準とされ（ステップＳ２９）、略中央用紙から内側に向かって対象用紙までの用紙枚数が算出される（ステップＳ３０）。
【００７８】
次に、画像処理部１４５により、スクエアホールドあり中折り用の１枚当たりの画像シフト量が取得される（ステップＳ３１）。具体的には、中折り設定画面１６１において、「スクエアホールドあり中折り」ボタンＢ３が選択され、さらに、「用紙種類設定」ボタンＢ４が選択された場合には、画像処理部１４５により、スクエアホールドあり中折り用の用紙種類別シフト量テーブルが参照され、用紙種類設定画面１６２において選択された用紙の種類に応じた１枚当たりの画像シフト量が取得される。中折り設定画面１６１において、「スクエアホールドあり中折り」ボタンＢ３が選択され、さらに、「用紙坪量設定」ボタンＢ５が選択された場合には、画像処理部１４５により、スクエアホールドあり中折り用の用紙坪量別シフト量テーブルが参照され、用紙坪量設定画面１６３において選択された用紙の坪量に応じた１枚当たりの画像シフト量が取得される。中折り設定画面１６１において、「スクエアホールドあり中折り」ボタンＢ３が選択され、さらに、「マニュアル設定」ボタンＢ６が選択された場合には、画像処理部１４５により、マニュアル設定画面１６４において設定された１枚当たりの画像シフト量が取得される。
【００７９】
次に、画像処理部１４５により、１枚当たりの画像シフト量に、略中央用紙から対象用紙までの用紙枚数を掛けた値が画像シフト量として設定され（ステップＳ３２）、折り部方向が画像シフト方向として設定される（ステップＳ３３）。
【００８０】
次に、画像処理部１４５により、ステップＳ３３で設定された画像シフト方向に、ステップＳ３２で設定された画像シフト量だけ画像がシフトされる（ステップＳ３４）。
ステップＳ２２、ステップＳ２８又はステップＳ３４の後、スクエアホールドあり中折り時の画像シフト処理が終了する。
【００８１】
図１４（ａ）に、スクエアホールドあり中折り時の用紙束の最外用紙の画像位置を示す。用紙Ｐ３１に対して、折り部を挟んで対称な位置に、画像Ｇ３１，Ｇ３２が形成される。図１４（ｂ）に示す用紙束の略中央用紙の画像位置が基準となり、略中央用紙からの用紙枚数に応じて画像Ｇ３１，Ｇ３２が折り部と反対方向にシフトされる。
【００８２】
図１４（ｂ）に、スクエアホールドあり中折り時の用紙束の略中央用紙の画像位置を示す。用紙Ｐ３２に対して、折り部を挟んで対称な位置に、画像Ｇ３３，Ｇ３４が形成される。略中央用紙については、画像のシフトは行われない。
【００８３】
図１４（ｃ）に、スクエアホールドあり中折り時の用紙束の最内用紙の画像位置を示す。用紙Ｐ３３に対して、折り部を挟んで対称な位置に、画像Ｇ３５，Ｇ３６が形成される。略中央用紙からの用紙枚数に応じて画像Ｇ３５，Ｇ３６が折り部の方向にシフトされる。
このように、用紙束の略中央用紙から外側の用紙になるに従って、画像位置が用紙の折り部と反対方向にシフトされ、用紙束の略中央用紙から内側の用紙になるに従って、画像位置が用紙の折り部の方向にシフトされる。
【００８４】
図１５（ａ）は、画像位置を調整せずに画像を形成し、スクエアホールドあり中折りを行った用紙束の例である（比較例）。用紙Ｐ４１〜Ｐ４３に対して画像Ｇ４１〜Ｇ４３が形成されている。用紙束の外側の用紙ほど画像位置が折り部の方向にずれていき、用紙束の内側の用紙ほど画像位置が折り部と反対方向にずれていく。この状態では、用紙束の外側の用紙に形成された画像の折り部側が見づらい。また、この状態で折り部と反対方向の用紙端部を裁断すると、画像が欠けるおそれがある。
【００８５】
図１５（ｂ）は、画像位置を調整して画像を形成し、スクエアホールドあり中折りを行った用紙束の例である。用紙Ｐ５１〜Ｐ５３に対して画像Ｇ５１〜Ｇ５３が形成されている。用紙Ｐ５２（略中央用紙）を基準として、用紙Ｐ５１に形成される画像Ｇ５１の位置が折り部と反対方向にシフトされ、用紙Ｐ５３に形成される画像Ｇ５３の位置が折り部の方向にシフトされる。これにより、用紙を裁断した後の用紙端部（裁断部分）からの画像の位置が揃う。
【００８６】
ステップＳ１において、中折りがＯＮでない場合（ステップＳ１；ＮＯ）、ステップＳ３又はステップＳ４の後、制御部１１０により、画像処理後の画像データが画像形成部１３０に出力され、画像形成部１３０により、画像データに基づいて、用紙に画像が形成される（ステップＳ５）。
【００８７】
次に、制御部１１０により、全ての出力が完了したか否かが判断される（ステップＳ６）。出力が完了していない場合には（ステップＳ６；ＮＯ）、ステップＳ１に戻り、処理が繰り返される。
一方、ステップＳ６において、全ての出力が完了した場合には（ステップＳ６；ＹＥＳ）、処理が終了する。
【００８８】
スクエアホールドなし中折りが選択された場合には、制御部１１０により、シリアル通信部１４０を介して、スクエアホールドなし中折りを示す情報が後処理装置２００に送信される。後処理装置２００では、シリアル通信部２２０により、スクエアホールドなし中折りを示す情報が受信されると、制御部２１０により、中折り処理部２４０が制御され、画像が形成された用紙に対して、中折り処理が行われる。
【００８９】
スクエアホールドあり中折りが選択された場合には、制御部１１０により、シリアル通信部１４０を介して、スクエアホールドあり中折りを示す情報が後処理装置２００に送信される。後処理装置２００では、シリアル通信部２２０により、スクエアホールドあり中折りを示す情報が受信されると、制御部２１０により、中折り処理部２４０が制御され、画像が形成された用紙に対して、中折り処理が行われ、スクエアホールド処理部２５０が制御され、中折り処理された用紙に対し、スクエアホールド処理が行われる。
【００９０】
以上説明したように、本実施の形態における画像形成システム１によれば、スクエアホールド処理が施される場合と、スクエアホールド処理が施されない場合のそれぞれについて、適切に画像位置を調整することができる。具体的には、スクエアホールド処理が施される場合と、スクエアホールド処理が施されない場合とで、画像位置を調整する際に基準となる用紙の位置及びシフト量を変える。スクエアホールド処理が施されない場合には、用紙束の最外用紙を基準とし、スクエアホールド処理が施される場合には、用紙束の略中央用紙を基準とする。
【００９１】
［変形例］
次に、変形例について説明する。
変形例における画像形成システムは、上記実施の形態に示した画像形成システム１と同様の構成によってなるため、図１を援用し、その構成については図示及び説明を省略する。以下、変形例に特徴的な構成及び処理について説明する。
【００９２】
上記実施の形態では、用紙束における用紙の位置に基づいて、用紙１枚毎に画像位置を調整する場合について説明したが、変形例では、所定枚数（例えば、５枚等）の用紙毎に画像位置を調整する。すなわち、用紙束において、所定枚数毎に画像の位置が順次シフトされる。
【００９３】
記憶部１５０には、スクエアホールドなし中折り用の用紙種類別シフト量テーブル、スクエアホールドなし中折り用の用紙坪量別シフト量テーブル、スクエアホールドあり中折り用の用紙種類別シフト量テーブル、スクエアホールドあり中折り用の用紙坪量別シフト量テーブル等が記憶されている。
【００９４】
スクエアホールドなし中折り用の用紙種類別シフト量テーブルには、スクエアホールドなし中折りを行う際の用紙種類と、所定枚数当たりの画像シフト量とが対応付けられている。
スクエアホールドなし中折り用の用紙坪量別シフト量テーブルには、スクエアホールドなし中折りを行う際の用紙坪量と、所定枚数当たりの画像シフト量とが対応付けられている。
【００９５】
スクエアホールドあり中折り用の用紙種類別シフト量テーブルには、スクエアホールドあり中折りを行う際の用紙種類と、所定枚数当たりの画像シフト量とが対応付けられている。
スクエアホールドあり中折り用の用紙坪量別シフト量テーブルには、スクエアホールドあり中折りを行う際の用紙坪量と、所定枚数当たりの画像シフト量とが対応付けられている。
【００９６】
マニュアル設定を行う場合には、ユーザーは、操作部１７０を操作することにより、所定枚数当たりの画像シフト量を設定する。
【００９７】
次に、変形例における動作について、上記実施の形態と異なる部分のみ説明する。
図１０に示すスクエアホールドなし中折り時の画像シフト処理のステップＳ１３に代えて、画像処理部１４５により、スクエアホールドなし中折り用の所定枚数当たりの画像シフト量が取得される。具体的には、「スクエアホールドなし中折り」が選択され、さらに、「用紙種類設定」が選択された場合には、画像処理部１４５により、スクエアホールドなし中折り用の用紙種類別シフト量テーブルが参照され、選択された用紙の種類に応じた所定枚数当たりの画像シフト量が取得される。「スクエアホールドなし中折り」が選択され、さらに、「用紙坪量設定」が選択された場合には、画像処理部１４５により、スクエアホールドなし中折り用の用紙坪量別シフト量テーブルが参照され、選択された用紙の坪量に応じた所定枚数当たりの画像シフト量が取得される。「スクエアホールドなし中折り」が選択され、さらに、「マニュアル設定」が選択された場合には、画像処理部１４５により、設定された所定枚数当たりの画像シフト量が取得される。
【００９８】
また、図１０に示すスクエアホールドなし中折り時の画像シフト処理のステップＳ１４に代えて、画像処理部１４５により、所定枚数当たりの画像シフト量に、「最外用紙から対象用紙までの用紙枚数を所定枚数で割った値の整数部分」を掛けた値が画像シフト量として設定される。
【００９９】
また、図１３に示すスクエアホールドあり中折り時の画像シフト処理のステップＳ２５に代えて、画像処理部１４５により、スクエアホールドあり中折り用の所定枚数当たりの画像シフト量が取得される。具体的には、「スクエアホールドあり中折り」が選択され、さらに、「用紙種類設定」が選択された場合には、画像処理部１４５により、スクエアホールドあり中折り用の用紙種類別シフト量テーブルが参照され、選択された用紙の種類に応じた所定枚数当たりの画像シフト量が取得される。「スクエアホールドあり中折り」が選択され、さらに、「用紙坪量設定」が選択された場合には、画像処理部１４５により、スクエアホールドあり中折り用の用紙坪量別シフト量テーブルが参照され、選択された用紙の坪量に応じた所定枚数当たりの画像シフト量が取得される。「スクエアホールドあり中折り」が選択され、さらに、「マニュアル設定」が選択された場合には、画像処理部１４５により、設定された所定枚数当たりの画像シフト量が取得される。
【０１００】
また、図１３に示すスクエアホールドあり中折り時の画像シフト処理のステップＳ２６に代えて、画像処理部１４５により、所定枚数当たりの画像シフト量に、「略中央用紙から対象用紙までの用紙枚数を所定枚数で割った値の整数部分」を掛けた値が画像シフト量として設定される。
【０１０１】
また、図１３に示すスクエアホールドあり中折り時の画像シフト処理のステップＳ３１に代えて、画像処理部１４５により、スクエアホールドあり中折り用の所定枚数当たりの画像シフト量が取得される。具体的には、「スクエアホールドあり中折り」が選択され、さらに、「用紙種類設定」が選択された場合には、画像処理部１４５により、スクエアホールドあり中折り用の用紙種類別シフト量テーブルが参照され、選択された用紙の種類に応じた所定枚数当たりの画像シフト量が取得される。「スクエアホールドあり中折り」が選択され、さらに、「用紙坪量設定」が選択された場合には、画像処理部１４５により、スクエアホールドあり中折り用の用紙坪量別シフト量テーブルが参照され、選択された用紙の坪量に応じた所定枚数当たりの画像シフト量が取得される。「スクエアホールドあり中折り」が選択され、さらに、「マニュアル設定」が選択された場合には、画像処理部１４５により、設定された所定枚数当たりの画像シフト量が取得される。
【０１０２】
また、図１３に示すスクエアホールドあり中折り時の画像シフト処理のステップＳ３２に代えて、画像処理部１４５により、所定枚数当たりの画像シフト量に、「略中央用紙から対象用紙までの用紙枚数を所定枚数で割った値の整数部分」を掛けた値が画像シフト量として設定される。
【０１０３】
以上説明したように、変形例における画像形成システムによれば、上記実施の形態と同様の効果に加え、所定枚数の用紙毎に画像位置を調整することができる。
【０１０４】
なお、上記実施の形態及び変形例における記述は、本発明に係る画像形成システムの例であり、これに限定されるものではない。システムを構成する各装置の細部構成及び細部動作に関しても本発明の趣旨を逸脱することのない範囲で適宜変更可能である。
【０１０５】
上記実施の形態では、中折り処理部２４０により、用紙に対して中折り処理を行った後に、スクエアホールド処理部２５０により、スクエアホールド処理を行う場合について説明したが、中折り処理とスクエアホールド処理とを分けずに、スクエアホールド処理を施した中折り処理を行うユニットを用いてもよい。
【０１０６】
以上の説明では、各処理を実行するためのプログラムを格納したコンピューター読み取り可能な媒体としてＲＯＭを使用した例を開示したが、この例に限定されない。その他のコンピューター読み取り可能な媒体として、フラッシュメモリー等の不揮発性メモリー、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１０７】
１  画像形成システム
１００  画像形成装置
１１０  制御部
１２５  画像読取部
１３０  画像形成部
１４５  画像処理部
１５０  記憶部
１６０  表示部
１７０  操作部
２００  後処理装置
２１０  制御部
２４０  中折り処理部
２５０  スクエアホールド処理部
３００  後処理装置
３１０  制御部
３４０  裁断処理部
【図１】
2013054257.tif 000003
【図２】
2013054257.tif 000004
【図３】
2013054257.tif 000005
【図４】
2013054257.tif 000006
【図５】
2013054257.tif 000007
【図６】
2013054257.tif 000008
【図７】
2013054257.tif 000009
【図８】
2013054257.tif 000010
【図９】
2013054257.tif 000011
【図１０】
2013054257.tif 000012
【図１１】
2013054257.tif 000013
【図１２】
2013054257.tif 000014
【図１３】
2013054257.tif 000015
【図１４】
2013054257.tif 000016
【図１５】
2013054257.tif 000017
【図１６】
2013054257.tif 000018
【図１７】
2013054257.tif 000019